(57)【要約】【課題】画像入力可能な表示デバイスと撮像デバイスとで取得された２つの画像の合成画像を容易に確認できる撮像装置を提供する。【解決手段】撮像装置は、第１表示部と第２表示部と撮像デバイスとを備え、第１表示部は、画像入力可能な表示デバイスとして構成されている。この撮像装置では、撮像デバイスにより取得された撮影画像Ｇａと、原稿などに対して第１表示部で画像入力が行われた入力画像Ｇｂとを合成して、合成画像Ｇｃが生成される。そして、生成された合成画像Ｇｃを第２表示部に表示する。これにより、ユーザは合成画像Ｇｃの状態を視認でき、合成画像を容易に確認できることとなる。【選択図】図５
2005184305.tif 000002
【特許請求の範囲】
【請求項１】
撮像装置であって、
(a)光学レンズを介して第１被写体を撮像し、第１画像を取得する撮像手段と、
(b)前記第１画像を表示可能な表示手段と、
(c)前記第１被写体と異なる第２被写体に係る第２画像と、前記第１画像とを合成して合成画像を生成する画像合成手段と、
(d)前記合成画像を前記表示手段に表示させる表示制御手段と、
を備え、
前記表示手段は、
(b-1)前記第２被写体に関する画像入力を行い、前記第２画像を取得する画像入力手段、
を有することを特徴とする撮像装置。
【請求項２】
請求項１に記載の撮像装置において、
前記表示手段は、複数の表示部を備え、
前記複数の表示部のうち一部の表示部のみが、前記画像入力手段を有するとともに、
前記表示制御手段は、
(d-1)前記一部の表示部を除く前記複数の表示部のうち少なくとも１の表示部に前記合成画像を表示させる手段、
を有することを特徴とする撮像装置。
【請求項３】
撮像装置であって、
(a)光学レンズを介して第１被写体を撮像し、第１画像を取得する撮像手段と、
(b)前記第１画像を表示可能な表示手段と、
(c)前記第１被写体と異なる第２被写体に係る第２画像と、前記第１画像とを合成して合成画像を生成する画像合成手段と、
(d)前記合成画像の画像データを所定の記録部に記録する記録制御手段と、
を備え、
前記表示手段は、
(b-1)前記第２被写体に関する画像入力を行い、前記第２画像を取得する画像入力手段、
を有することを特徴とする撮像装置。
【請求項４】
請求項１ないし請求項３のいずれかに記載の撮像装置において、
(e)前記撮像装置の本体と可動部とを接続する接続手段、
をさらに備え、
前記接続手段により、前記撮像装置の本体に対して前記可動部が折り畳まれる収納状態と、前記可動部が展開される展開状態との間の移行が可能になるとともに、
前記表示手段は、
(b-2)前記画像入力手段により画像入力を行うための画像入力面、
を有し、
前記収納状態では、前記画像入力面を内側にして前記可動部が折り畳まれるとともに、前記収納状態において前記画像入力手段を能動化し画像入力が可能であることを特徴とする撮像装置。
【請求項５】
請求項１ないし請求項４のいずれかに記載の撮像装置において、
前記画像合成手段は、
(c-1)レイヤーの重畳によって前記第１画像と前記第２画像とを合成する第１合成手段と、
(c-2)画像の切り抜きによって前記第１画像と前記第２画像とを合成する第２合成手段と、
(c-3)前記第１合成手段と前記第２合成手段とを選択的に能動化させる手段と、
を有することを特徴とする撮像装置。
【請求項６】
請求項３に記載の撮像装置において、
前記記録制御手段は、
(d-1)前記合成画像の画像データと前記第１画像の画像データとを前記所定の記録部に記録するとともに、前記合成画像の画像データと前記第１画像の画像データとのリンク情報を記録する手段、
を有することを特徴とする撮像装置。
【請求項７】
請求項１ないし請求項６のいずれかに記載の撮像装置において、
前記第１画像は、動画であり、
前記合成画像は、静止画であることを特徴とする撮像装置。
【発明の詳細な説明】
【技術分野】
【０００１】
本発明は、光学レンズを介して被写体を撮像し画像を取得する撮像装置に関する。
【背景技術】
【０００２】
表示デバイスについては、特許文献１に開示されるように、画像表示が可能であるとともに、液晶画素の中に光センサ素子を作り込んでスキャナのように画像入力を行える液晶ディスプレイ(以下では「画像入力可能な表示デバイス」という)が開発されている。
【０００３】
【特許文献１】特開平１１−８７４１号公報
【発明の開示】
【発明が解決しようとする課題】
【０００４】
上記の画像入力可能な表示デバイスを撮像装置に採用する場合においては、一般にユーザが撮像デバイスと当該表示デバイスとを別個独立に使用することを想定しているため、双方のデバイスで取得した２つの画像を撮像装置で合成し、合成した画像を容易に確認できるとは限らない。
【０００５】
本発明は、上記課題に鑑みてなされたものであり、画像入力可能な表示デバイスと撮像デバイスとで取得された２つの画像の合成画像を容易に確認できる撮像装置を提供することを目的とする。
【課題を解決するための手段】
【０００６】
上記の課題を解決するため、請求項１の発明は、撮像装置であって、(a)光学レンズを介して第１被写体を撮像し、第１画像を取得する撮像手段と、(b)前記第１画像を表示可能な表示手段と、(c)前記第１被写体と異なる第２被写体に係る第２画像と、前記第１画像とを合成して合成画像を生成する画像合成手段と、(d)前記合成画像を前記表示手段に表示させる表示制御手段とを備え、前記表示手段は、(b-1)前記第２被写体に関する画像入力を行い、前記第２画像を取得する画像入力手段を有する。
【０００７】
また、請求項２の発明は、請求項１の発明に係る撮像装置において、前記表示手段は、複数の表示部を備え、前記複数の表示部のうち一部の表示部のみが、前記画像入力手段を有するとともに、前記表示制御手段は、(d-1)前記一部の表示部を除く前記複数の表示部のうち少なくとも１の表示部に前記合成画像を表示させる手段を有する。
【０００８】
また、請求項３の発明は、撮像装置であって、(a)光学レンズを介して第１被写体を撮像し、第１画像を取得する撮像手段と、(b)前記第１画像を表示可能な表示手段と、(c)前記第１被写体と異なる第２被写体に係る第２画像と、前記第１画像とを合成して合成画像を生成する画像合成手段と、(d)前記合成画像の画像データを所定の記録部に記録する記録制御手段とを備え、前記表示手段は、(b-1)前記第２被写体に関する画像入力を行い、前記第２画像を取得する画像入力手段を有する。
【０００９】
また、請求項４の発明は、請求項１ないし請求項３のいずれかの発明に係る撮像装置において、(e)前記撮像装置の本体と可動部とを接続する接続手段をさらに備え、前記接続手段により、前記撮像装置の本体に対して前記可動部が折り畳まれる収納状態と、前記可動部が展開される展開状態との間の移行が可能になるとともに、前記表示手段は、(b-2)前記画像入力手段により画像入力を行うための画像入力面を有し、前記収納状態では、前記画像入力面を内側にして前記可動部が折り畳まれるとともに、前記収納状態において前記画像入力手段を能動化し画像入力が可能である。
【００１０】
また、請求項５の発明は、請求項１ないし請求項４のいずれかの発明に係る撮像装置において、前記画像合成手段は、(c-1)レイヤーの重畳によって前記第１画像と前記第２画像とを合成する第１合成手段と、(c-2)画像の切り抜きによって前記第１画像と前記第２画像とを合成する第２合成手段と、(c-3)前記第１合成手段と前記第２合成手段とを選択的に能動化させる手段とを有する。
【００１１】
また、請求項６の発明は、請求項３の発明に係る撮像装置において、前記記録制御手段は、(d-1)前記合成画像の画像データと前記第１画像の画像データとを前記所定の記録部に記録するとともに、前記合成画像の画像データと前記第１画像の画像データとのリンク情報を記録する手段を有する。
【００１２】
また、請求項７の発明は、請求項１ないし請求項６のいずれかの発明に係る撮像装置において、前記第１画像は、動画であり、前記合成画像は、静止画である。
【発明の効果】
【００１３】
請求項１ないし請求項７の発明によれば、撮像手段により第１被写体を撮像して取得された第１画像と、表示手段により第２被写体に関する画像入力を行って取得された第２画像とを合成し、合成された画像を表示手段に表示させたり、所定の記録部に記録する。その結果、画像入力可能な表示デバイスと撮像デバイスとで取得された２つの画像の合成画像を容易に確認できる。
【００１４】
特に、請求項２の発明においては、画像入力手段を有する一部の表示部を除く複数の表示部のうち少なくとも１の表示部に合成画像を表示させるため、合成画像を一層容易に確認できる。
【００１５】
また、請求項４の発明においては、画像入力を行うための画像入力面を内側にして可動部が折り畳まれる収納状態において画像入力手段を能動化し画像入力が可能であるため、原稿などの第２被写体を適切に保持して、画像入力が容易となる。
【００１６】
また、請求項５の発明においては、レイヤーの重畳によって画像合成する第１合成手段と画像の切り抜きによって画像合成する第２合成手段とを選択的に能動化させるため、合成態様の選択が容易となる。
【００１７】
また、請求項６の発明においては、合成画像の画像データと第１画像の画像データとを所定の記録部に記録するとともに、合成画像の画像データと第１画像の画像データとのリンク情報を記録する。その結果、原画としての第１画像とそのリンク情報も記録でき、利便性が向上する。
【００１８】
また、請求項７の発明においては、第１画像は動画であり、合成画像は静止画であるため、合成画像を動画のインデックス画像として利用できる。
【発明を実施するための最良の形態】
【００１９】
＜撮像装置の要部構成＞
図１および図２は、本発明の実施形態に係る撮像装置１の外観を示す図である。
【００２０】
撮像装置１は、例えば携帯電話として構成されており、本体部１ａと可動部１ｂとがヒンジ部(接続部)ＲＣにより接続されている。そして、このヒンジ部ＲＣを中心に回動して、撮像装置１の本体部１ａに対して可動部１ｂが閉じて折り畳まれる収納状態(図２参照)と、可動部１ｂが開いて展開される展開状態(図１参照)との間の移行が可能になる。
【００２１】
また、撮像装置１は、本体部１ａに撮像部１０と記録ボタンＳＷ１とモード切替ボタンＳＷ２とが設けられるとともに、可動部１ｂに撮像部１０で撮像された画像を表示可能な第１表示部１１と第２表示部１２とが設けられている。
【００２２】
撮像部１０は、光学レンズ(光学部材)および光学レンズを駆動するレンズ駆動部と、撮像素子および撮像素子を駆動する撮像素子駆動部とを有しており、被写体を撮像して画像データを生成する。この撮像素子は、光学レンズを介して被写体を撮像して画像を取得する撮像手段として機能し、例えばＲ(赤)、Ｇ(緑)、Ｂ(青)の原色透過フィルターがピクセル単位に市松状に配列されたＣＣＤとして構成されている。そして、撮像部１０では、撮像素子から出力したアナログ画像信号に対してゲイン調整などのアナログ処理を行った後に、Ａ／Ｄ変換を行いデジタル信号の画像データを出力する。
【００２３】
第１表示部１１は、画像表示可能な液晶ディスプレイとして構成されるとともに、ＳＯＧ(システムオングラス)技術を利用して液晶画素の中に光センサ素子が作り込まれており、スキャナのように画像入力が可能となっている。この第１表示部１１による画像入力では、バックライトを照明として第１表示部１１の表示面(画像入力面)１１ｆに接する平面状の被写体が光センサによって撮像されることとなる。具体的には、図２(ａ)に示すように表示面１１ｆを内側にして可動部１ｂが折り畳まれる収納状態において、画像入力機能を能動化して画像入力動作を行い、本体部１ａと可動部１ｂとの隙間に介挿された原稿ＳＨに対しての画像入力が行われる。
【００２４】
このように第１表示部１１は、被写体としての原稿ＳＨに関する画像入力を行い画像を取得する画像入力手段として機能する。
【００２５】
第２表示部１２は、可動部において第１表示部１１の面に対する反対面(裏面)に設けられ、第１表示部１１のように画像入力機能を有しない通常の液晶ディスプレイとして構成されている。
【００２６】
記録ボタンＳＷ１は、撮像部１０や第１表示部１１により被写体を撮像してその画像データを記録するためのボタンである。
【００２７】
モード切替ボタンＳＷ２は、被写体を撮影するための撮影モード、撮影した画像を第１表示部１１や第２表示部１２に再生表示するための再生モード、後述する合成入力モードなどの機能モードを選択するためのボタンである。そして、モード切替ボタンＳＷ２の押下により、各モードがサイクリックに切り替わることとなる。
【００２８】
図３は、撮像装置１の機能を示すブロック図である。
【００２９】
撮像装置１は、上述した撮像部１０や、第１表示部１１および第２表示部１２で構成される表示部(表示手段)１９とデータ伝送可能に接続する制御部１３を備えている。
【００３０】
制御部１３は、ＣＰＵおよびメモリを有しており、撮像装置１の各部を統括的に制御する部位である。
【００３１】
具体的には、制御部１３においては、記録ボタンＳＷ１およびモード切替ボタンＳＷ２に対するユーザの操作入力を検出したり、制御信号を送出し撮像部１０で生成された撮影画像データを受信する制御を行う。また、第１表示部１１に対しては、撮像部１０と同様に制御信号を送出して入力画像データ(Input Data)を受信するとともに、制御部１３から表示用画像データと制御信号とを送出して第１表示部１１で画像表示する制御を行う。なお、第１表示部１１で取得される入力画像が文章などで構成される画像の場合には、文章の内容をテキストデータに変換する処理を行っても良い。
【００３２】
また、制御部１３においては、第２表示部１２に対して表示用画像データと制御信号とを送出し第２表示部１２において画像表示する制御を行うとともに、撮像装置１に着脱自在に装着可能なメモリカードなどの記録媒体９に対して撮像部１０や第１表示部１１で取得した画像を例えばＪＰＥＧ形式で記録し、記録された画像を読み出す制御を行う。さらに、撮像装置１に接続されるモニタＴＶに対しては、表示用画像データをＮＴＳＣ形式で送信してモニタＴＶに表示させる制御を行う。
【００３３】
制御部１３は、例えばガンマ補正などの画像処理を行う画像処理部１４を有している。また、画像処理部１４では、撮像部１０で取得された第１画像と第１表示部１１で取得された第２画像とを合成して合成画像を生成する処理が行われる。
【００３４】
＜撮像装置１の動作＞
図４は、撮像装置１の基本的な動作を示すフローチャートである。本動作は、撮像装置１における画像合成の動作であり、制御部１３によって実行される。また、図５は、撮像装置１における画像合成の動作を説明するための図である。以下では、これらの図４および図５を参照しつつ、撮像装置１の動作を説明する。
【００３５】
まず、モード切替ボタンＳＷ２を押下して合成入力モードを選択すると、制御部１３から制御信号が送出され第２表示部１２で表示動作を行うように設定される(ステップＳ１)。
【００３６】
ステップＳ２では、制御部１３から制御信号が送出され、撮像部１０と第１表示部１１とで入力動作(撮像動作)を行うように設定される。
【００３７】
ステップＳ３では、撮像動作で得られた画像データを撮像部１０から制御部１３が取得する。ここでは、例えば人物などの被写体(第１被写体)ＳＢ１が撮影されると図５(ａ)に示すような撮影画像Ｇａが得られることとなる。
【００３８】
ステップＳ４では、入力動作で得られた画像データを第１表示部１１から制御部１３が取得する。ここでは、例えば本体部１ａと可動部１ｂとが屈曲された状態(図２(ａ)参照)で原稿ＳＨなどの被写体(第２被写体)ＳＢ２が画像入力されると図５(ｂ)に示すような入力画像Ｇｂが得られることとなる。
【００３９】
ステップＳ５では、ステップＳ３およびステップＳ４で取得された２つの画像Ｇａ、Ｇｂを画像処理部１４において合成し、図５(ｃ)に示すような合成画像Ｇｃを生成する。ここでは、画像レイヤーの重畳、具体的には撮影画像Ｇａのレイヤーと入力画像Ｇｂのレイヤーとを重ね合わせることにより、画像合成が行われる。
【００４０】
ステップＳ６では、ステップＳ５で生成された合成画像Ｇｃを第２表示部１２に表示する。すなわち、２の表示部１１、１２のうち画像入力機能を有しない第２表示部１２に合成画像Ｇｃを表示する。これにより、２つの画像の合成状態を迅速で容易に確認できる。
【００４１】
ステップＳ７では、第１表示部１１のバックライトの光量を調節する。このバックライトの光量調整は、露光調整に相当するものであり、ステップＳ４で取得した画像データの輝度情報に基づき光量が設定される。
【００４２】
ステップＳ８では、合成入力モードの解除が行われたかを判定する。具体的には、モード切替ボタンＳＷ２を押下して合成入力モードから他のモードに切替えられたかを判断する。ここで、合成入力モードの解除が行われた場合には、本フローから抜け、解除されていない場合には、ステップＳ９に進む。
【００４３】
ステップＳ９では、合成画像Ｇｃを記録媒体９に記録するかを判定する。具体的には、記録ボタンＳＷ１がユーザによって押下されたかを判断する。ここで、記録する場合には、ステップＳ１０に進み、記録しない場合には、ステップＳ３に戻って合成画像Ｇｃの表示を繰り返す。
【００４４】
ステップＳ１０〜Ｓ１２では、ステップＳ３〜Ｓ５と同様の動作を行う。
【００４５】
ステップＳ１３では、合成画像Ｇｃの画像データを記録媒体(所定の記録部)９に記録する。
【００４６】
以上の撮像装置１の動作により、撮像部で得られた撮影画像と、画像入力可能な第１表示部で得られた入力画像とを合成した合成画像を第２表示部に表示するため、合成画像を容易に確認できる。
【００４７】
なお、撮像装置１における画像合成については、図５(ｃ)に示すようにレイヤーの配分(重畳)によって撮影画像Ｇａと入力画像Ｇｂとをそのまま重ね合わせて合成画像Ｇｃを生成するのは必須でなく、濃度比を変更したり、図６(ｃ)に示すように画像の切り抜きによって合成画像Ｇｆを生成するようにしても良い。
【００４８】
この合成画像Ｇｆについては、被写体(第１被写体)ＳＪ１を撮像し撮像部１０で得られた撮影画像Ｇｄを円形のウィンドウＷＤに切り出し、紙媒体としての被写体(第２被写体)ＳＪ２を画像入力し第１表示部１１で得られた入力画像Ｇｅと合成することで生成される。なお、ウィンドウＷＤについては、その大きさや位置をユーザの操作入力によって指定できるようにするのが好ましい。
【００４９】
また、図５(ｃ)に示すようなレイヤーの重畳による画像合成と、図６(ｃ)に示すような画像の切り抜きによる画像合成とを、ユーザの操作入力によって選択的に設定できるようにしても良い。これにより、合成度合いの変更（合成態様の選択）を容易に行えることとなる。
【００５０】
＜変形例＞
◎上記の実施形態の撮像装置については、携帯電話型であるのは必須でなく、以下で説明するビデオカメラ型であっても良い。
【００５１】
図７は、本発明の変形例に係る撮像装置２の外観を示す図である。
【００５２】
撮像装置２は、ビデオカメラとして構成されており、本体部２ａと可動部２ｂとがヒンジ部(接続部)ＲＴにより蝶着されている。そして、ヒンジ部ＲＣを中心に回動し、撮像装置２の本体部２ａに対して可動部２ｂが閉じた収納状態(図７(ｂ)参照)と、可動部２ｂが開いた展開状態(図７(ａ)参照)との間の移行が可能になる。
【００５３】
また、撮像装置２は、本体部２ａに表示のみの通常の表示デバイスである第２表示部２２が設けられるとともに、可動部２ｂに画像入力可能な表示デバイスである第１表示部２１が設けられている。
【００５４】
そして、図７(ｂ)に示すように表示面(画像入力面)２１ｆを内側にして可動部２ｂが折り畳まれる収納状態において、その間隙に介挿された原稿ＳＥに対する画像入力が行われる。
【００５５】
このような構成の撮像装置２においては、上述した撮像装置１と同様に、撮像部で撮像された画像と、第１表示部２１で画像入力された画像とを合成した合成画像を第２表示部２２で表示可能となっている。これにより、撮像装置２でも、撮像装置１と同様に、合成画像の確認を容易に行えることとなる。
【００５６】
◎上記の実施形態における第１表示部の露光調整については、バックライトの光量を調整して行うのは必須でなく、第１表示部内の光センサの露光時間(電荷蓄積時間)を変更したり、撮像部内のアンプのゲインを変更するようにしても良い。
【００５７】
◎上記の実施形態における撮像装置については、通常の表示デバイスと画像入力可能な表示デバイスとをそれぞれ１つ備えるのは必須でなく、前者の表示デバイスを２以上、または後者の表示デバイスを２以上備えるものでも良い。この場合には、複数の表示デバイスのうち画像入力可能な一部の表示デバイスを除く少なくとも１の通常の表示デバイスに合成画像を表示させる。これにより、上記の実施形態と同様に、ユーザは合成画像を容易に確認できることとなる。
【００５８】
◎上記の実施形態においては、合成画像の画像データのみを記録媒体に記録するのは必須でなく、合成画像Ｇｃ(図５(ｃ)参照)の画像データとともに撮像部で撮影された撮影画像Ｇａ(図５(ａ)参照)の画像データを記録するようにしても良い。この場合には、合成画像Ｇｃの画像データと撮影画像Ｇａの画像データとを関連付けるために互いのファイルタグなどにリンク情報を記録する。これにより、ユーザの利便性が向上することとなる。
【００５９】
◎上記の実施形態において画像入力された静止画については、撮影された静止画との画像合成を行うのは必須でなく、撮像部で撮影された動画との画像合成を行うようにしても良い。この場合には、例えば動画撮影中においてユーザが特定の操作入力を行った時のみ、原稿に表したタイトルバックなどとの画像合成を行えるようにする。これにより、合成画像をインデックスとして、動画再生時などにおいて動画の検索が容易になる。
【図面の簡単な説明】
【００６０】
【図１】本発明の実施形態に係る撮像装置１の外観を示す図である。
【図２】撮像装置１の外観を示す図である。
【図３】撮像装置１の機能を示すブロック図である。
【図４】撮像装置１の基本的な動作を示すフローチャートである。
【図５】撮像装置１における画像合成の動作を説明するための図である。
【図６】画像合成の動作を説明するための図である。
【図７】本発明の変形例に係る撮像装置２の外観を示す図である。
【符号の説明】
【００６１】
１、２  撮像装置
１ａ、２ａ  本体部
１ｂ、２ｂ  可動部
９  記録媒体
１０  撮像部
１１、２１  第１表示部
１１ｆ、２１ｆ  表示面(画像入力面)
１２、２２  第２表示部
１３  制御部
１４  画像処理部
１９  表示部
Ｇａ、Ｇｄ  撮影画像(第１画像)
Ｇｂ、Ｇｅ  入力画像(第２画像)
Ｇｃ、Ｇｆ  合成画像
ＳＥ、ＳＨ  原稿
ＳＷ１  記録ボタン
ＳＷ２  モード切替ボタン
【図１】
2005184305.tif 000003
【図２】
2005184305.tif 000004
【図３】
2005184305.tif 000005
【図４】
2005184305.tif 000006
【図５】
2005184305.tif 000007
【図６】
2005184305.tif 000008
【図７】
2005184305.tif 000009